(57)【要約】      （修正有）【課題】花弁、花冠等を傷つけることなく、同じプリザーブドフラワーを用途を変えて繰り返し使用することが可能な取付具を提供する。【解決手段】プリザーブドフラワーの花冠を支持する台座部１１と、台座部１１の中央に、花冠の裏側の中央近傍に設けてある雌ネジと螺合する雄ネジ１２とを有する。台座部１１は円板状であり、周縁部に複数の円孔１３を設けてある。【選択図】図１
0003171183.tif 000002
【実用新案登録請求の範囲】
【請求項１】
プリザーブドフラワーの花冠を、交換することが可能に取り付ける取付具であって、
前記花冠を支持する台座部と、
該台座部の中央に、前記花冠の裏側の中央近傍に設けてある雌ネジと螺合する雄ネジと
を有することを特徴とする取付具。
【請求項２】
前記台座部は円板状であり、周縁部に複数の円孔を設けてあることを特徴とする請求項１に記載の取付具。
【請求項３】
前記台座部は椀状であり、周縁部に複数の円孔を設けてあることを特徴とする請求項１に記載の取付具。
【考案の詳細な説明】
【技術分野】
【０００１】
本発明は、プリザーブドフラワーを、例えば各種アクセサリとして使用するために花冠を取り付ける取付具に関する。
【背景技術】
【０００２】
近年、生花に特殊加工を施したプリザーブドフラワーが注目されている。プリザーブドフラワーは、生花の細胞組織内の組織水を脱水した後に、保存液に浸漬して組織水を保存液によって置換する防腐処理を施し、必要に応じて染色を行うことにより得られる。斯かる特殊加工を施すことにより、生花と同様の、みずみずしい外観を長期間保つことができる。
【０００３】
プリザーブドフラワーをフラワーアレンジメントに用いる場合、例えば特許文献１では、接着剤を用いてプリザーブドフラワーの茎部にマグネットを装着したマグネット付きフラワーが開示されている。装着したマグネットを磁着させることにより、壁面等に対してプリザーブドフラワーをアレンジすることができる。また、特許文献２には、プリザーブドフラワーの花冠の基部に、複数の係止爪部を有する取付具を取り付けたプリザーブドフラワー装飾体が開示されている。
【先行技術文献】
【特許文献】
【０００４】
【特許文献１】実用新案登録第３１２８２７９号公報
【特許文献２】特開２００９−２６９２６５号公報
【考案の概要】
【考案が解決しようとする課題】
【０００５】
しかし、特許文献１では、マグネット自体は接着剤を用いてプリザーブドフラワーの茎部に装着されており、例えば接着剤の量が少ないとき等は、マグネットとプリザーブドフラワーの茎部との接着強度が低く、着脱を繰り返すことでマグネットがプリザーブドフラワーの茎部から外れてしまうおそれがあり、マグネットから外れたプリザーブドフラワーが落下して、花冠が傷んでしまうおそれがあるという問題点があった。
【０００６】
また、特許文献２では、複数の係止爪部でプリザーブドフラワーの花冠に取付部を強固に取り付けるため、プリザーブドフラワーの花冠の基部に係止爪部による傷がつきやすい。プリザーブドフラワーは非常にデリケートであるため、傷により劣化が急速に進み、繰り返し使用することができなくなるおそれがあるという問題点もあった。さらに最近では、同じプリザーブドフラワーを異なる用途で繰り返し使用したいという要望も高まっている。
【０００７】
本考案は斯かる事情を鑑みてなされたものであり、花弁、花冠等を傷つけることなく、同じプリザーブドフラワーを用途を変えて繰り返し使用することが可能な取付具を提供することを目的とする。
【課題を解決するための手段】
【０００８】
上記目的を達成するために第１考案に係る取付具は、プリザーブドフラワーの花冠を、交換することが可能に取り付ける取付具であって、前記花冠を支持する台座部と、該台座部の中央に、前記花冠の裏側の中央近傍に設けてある雌ネジと螺合する雄ネジとを有することを特徴とする。
【０００９】
第１考案では、プリザーブドフラワーの花冠を支持する台座部と、該台座部の中央に、花冠の裏側の中央近傍に設けてある雌ネジと螺合する雄ネジとを有するので、プリザーブドフラワーの花冠を取り付ける場合、台座部を把持し、花冠の雌ネジと台座部の雄ネジとを螺合すれば良く、交換する場合にプリザーブドフラワーの花弁、花冠等を傷つけることなく、プリザーブドフラワーの劣化を抑制することができる。また、同じプリザーブドフラワーの花冠を繰り返し交換して使用することができ、取付具を複数の種類の留め具に固着することにより、同じプリザーブドフラワーを多種多様なアクセサリとして使用することも可能となる。
【００１０】
また、第２考案に係る取付具は、第１考案において、前記台座部は円板状であり、周縁部に複数の円孔を設けてあることを特徴とする。
【００１１】
第２考案では、台座部は円板状であり、周縁部に複数の円孔を設けてあるので、台座部を把持し、花冠の雌ネジと台座部の雄ネジとを螺合することによりプリザーブドフラワーの花冠を容易かつ確実に取り付けることができる。また、台座部の周縁部の円孔に宝玉、他のプリザーブドフラワー、プリザーブドリーフ等の種々の装飾部材を挿入することができるので、装飾品としてのデザインの自由度を高めることができる。しかも孔が円形であることから、挿入する装飾部材にも傷がつきにくく、生花等の植物を装飾部材として挿入することも容易である。
【００１２】
また、第３考案に係る取付具は、第１考案において、前記台座部は椀状であり、周縁部に複数の円孔を設けてあることを特徴とする。
【００１３】
第３考案では、台座部は椀状であり、周縁部に複数の円孔を設けてあるので、台座部に取り付けた場合に、プリザーブドフラワーの花冠を台座部の形状に沿って密着させることができ、プリザーブドフラワーの花冠が揺動することなくしっかりと固定することが可能となる。また、台座部の周縁部の円孔に宝玉、他のプリザーブドフラワー、プリザーブドリーフ等の種々の装飾部材を挿入することができるので、装飾品としてのデザインの自由度を高めることができる。しかも孔が円形であることから、挿入する装飾部材にも傷がつきにくく、生花等の植物を装飾部材として挿入することも容易である。
【考案の効果】
【００１４】
上記構成によれば、プリザーブドフラワーの花冠を支持する台座部と、該台座部の中央に、花冠の裏側の中央近傍に設けてある雌ネジと螺合する雄ネジとを有するので、プリザーブドフラワーの花冠を取り付ける場合、台座部を把持し、花冠の雌ネジと台座部の雄ネジとを螺合すれば良く、交換する場合にプリザーブドフラワーの花弁、花冠等を傷つけることなく、プリザーブドフラワーの劣化を抑制することができる。また、同じプリザーブドフラワーの花冠を繰り返し交換して使用することができ、取付具を複数の種類の留め具に固着することにより、同じプリザーブドフラワーを多種多様なアクセサリとして使用することも可能となる。
【００１５】
また、台座部の周縁部の円孔に宝玉、他のプリザーブドフラワー、プリザーブドリーフ等の種々の装飾部材を挿入することができるので、装飾品としてのデザインの自由度を高めることができる。しかも孔が円形であることから、挿入する装飾部材にも傷がつきにくく、生花等の植物を装飾部材として挿入することも容易である。
【図面の簡単な説明】
【００１６】
【図１】本考案の実施の形態に係る取付具の構成を示す平面図及び側面図である。
【図２】本考案の実施の形態に係る取付具の他の構成を示す平面図である。
【図３】本考案の実施の形態に係る取付具及び花冠の裏側に雌ネジを設けたプリザーブドフラワーの構成を示す斜視図である。
【図４】本考案の実施の形態に係る取付具をヘアクリップに固着した構成を示す六面図である。
【図５】本考案の実施の形態に係る取付具をコームに固着した構成を示す六面図である。
【図６】本考案の実施の形態に係る取付具をタイピンに固着した構成を示す六面図である。
【図７】本考案の実施の形態に係る取付具をシューズクリップに固着した構成を示す六面図である。
【図８】本考案の実施の形態に係る取付具をバッグチャーム用金具のリングに通した構成を示す六面図である。
【図９】台座部の形状が椀状である場合の、本考案の実施の形態に係る取付具の他の構成を示す斜視図である。
【考案を実施するための形態】
【００１７】
以下、本考案の実施の形態について、図面を参照しながら詳細に説明する。図１は、本考案の実施の形態に係る取付具の構成を示す平面図及び側面図である。図１（ａ）は、本考案の実施の形態に係る取付具１の構成を示す平面図であり、図１（ｂ）は、本考案の実施の形態に係る取付具１の構成を示す側面図である。
【００１８】
図１に示すように、本実施の形態に係る取付具１は、円板状の台座部１１と、台座部１１の中央部に、プリザーブドフラワーの花冠の裏側の中央近傍に設けてある雌ネジと螺合する雄ネジ１２とを有している。台座部１１の周縁部には、複数の円孔１３を、等間隔に設けてある。なお、花冠とは、花弁の集まりを意味している。
【００１９】
複数の円孔１３には、宝玉、他のプリザーブドフラワー、プリザーブドリーフ等の装飾部材を挿入し、挿入した状態でプリザーブドフラワーの花冠の裏側の中央近傍に設けてある雌ネジに台座部１１に設けてある雄ネジ１２を螺合する。これにより挿入した装飾部材を花冠２１と台座部１１とで押しつけることができ、堅固に固定することができる。
【００２０】
本実施の形態では、円孔１３を１６個設けてあるが、特に１６個に限定されるものではなく、台座部１１の周縁部に等間隔に設けていれば良い。
【００２１】
図２は、本考案の実施の形態に係る取付具１の他の構成を示す平面図である。図２（ａ）に示すように、１６個の円孔１３のそれぞれの間に、円孔１３’を１６個設けてある。このようにすることで、より多くの装飾部材を挿入することが可能となる。また、図２（ｂ）に示すように、円孔１３を４個だけ設けていても良い。この場合、製造コストを低減することが可能となる。
【００２２】
図３は、本考案の実施の形態に係る取付具１及び花冠２１の裏側に雌ネジを設けたプリザーブドフラワー２の構成を示す斜視図である。花冠２１の裏側の中央近傍には、雌ネジ２３を埋設してある。
【００２３】
取付具１の雄ネジ１２を螺合部の雌ネジ２３に螺合し、プリザーブドフラワー２の花冠２１を取付具１に取り付けることができる。したがって、取付具１を複数の種類の留め具に固着することにより、同じプリザーブドフラワー２を、多種多様なアクセサリとして使用することができる。
【００２４】
図４は、本考案の実施の形態に係る取付具１をヘアクリップに固着した構成を示す六面図である。図４に示すようにヘアクリップ本体部の上面に本実施の形態に係る取付具１を固着し、取付具１にプリザーブドフラワー２の花冠２１を取り付け、台座部１１の円孔１３に装飾部材等を挿入することで、プリザーブドフラワー２を髪に装着するアクセサリとして使用することが可能となる。
【００２５】
同様に、図５は、本考案の実施の形態に係る取付具１をコームに固着した構成を示す六面図である。図５に示すようにコーム（くし）の本体部の表面に本実施の形態に係る取付具１を固着し、取付具１にプリザーブドフラワー２の花冠２１を取り付け、台座部１１の円孔１３に装飾部材等を挿入することで、プリザーブドフラワー２を髪に装着するアクセサリとして使用することが可能となる。
【００２６】
次に、図６は、本考案の実施の形態に係る取付具１をタイピンに固着した構成を示す六面図である。図６に示すようにタイピンの本体部の上面に本実施の形態に係る取付具１を固着し、取付具１にプリザーブドフラワー２の花冠２１を取り付け、台座部１１の円孔１３に装飾部材等を挿入することで、プリザーブドフラワー２をネクタイに装着するアクセサリとして使用することができる。もちろん、ブラウス、ワイシャツ等の胸部に装着することもできる。
【００２７】
また、図７は、本考案の実施の形態に係る取付具１をシューズクリップに固着した構成を示す六面図である。図７に示すようにシューズクリップの上面に本実施の形態に係る取付具１を固着し、取付具１の台座部１１にプリザーブドフラワー２の花冠２１を取り付け、台座部１１の円孔１３に装飾部材等を挿入することで、プリザーブドフラワー２を靴の甲、カカトに装着する靴のアクセサリとして使用することが可能となる。もちろんジャケット、上着等の胸ポケットに装着することもできる。
【００２８】
さらに、図８は、本考案の実施の形態に係る取付具１をバッグチャーム用金具のリングに通した構成を示す六面図である。図８に示すようにバッグチャーム用金具に本実施の形態に係る取付具１を円孔１３にリングを介して通し、取付具１にプリザーブドフラワー２の花冠２１を取り付け、台座部１１の円孔１３に装飾部材等を挿入することで、プリザーブドフラワー２を好きなハンドバッグ、リュックサック等に装着することが可能となる。もちろん、同様にペンダントトップとして使用することも可能である。
【００２９】
その他、取付具１を、装飾用指輪に固着しても良い。このように本考案の実施の形態に係る取付具１を用いることで、同じプリザーブドフラワー２を多種多様なアクセサリとして使用することができる。
【００３０】
以上のように本実施の形態によれば、プリザーブドフラワー２の花冠２１を支持する台座部１１と、台座部１１の中央に、花冠２１の裏側の中央近傍に設けてある雌ネジと螺合する雄ネジとを有するので、プリザーブドフラワー２の花冠２１を取り付ける場合、台座部１１を把持し、花冠２１の雌ネジと台座部１１の雄ネジとを螺合すれば良く、交換する場合にプリザーブドフラワー２の花弁、花冠等を傷つけることなく、プリザーブドフラワー２の劣化を抑制することができる。また、同じプリザーブドフラワー２を繰り返し交換して使用することができ、取付具１を複数の種類の留め具に固着することにより、同じプリザーブドフラワー２を多種多様なアクセサリとして使用することも可能となる。
【００３１】
その他、本考案は上記実施例に限定されるものではなく、本発明の趣旨の範囲内であれば多種の変形、置換等が可能であることは言うまでもない。例えば台座部１１の形状は円板状に限定されるものではなく、椀状であっても良い。図９は、台座部１１の形状が椀状である場合の、本考案の実施の形態に係る取付具１の他の構成を示す斜視図である。
【００３２】
図９に示すように、台座部１１が椀状であり、中央底部から雄ネジ１２が突出しているような構成であっても良い。この場合、プリザーブドフラワー２の花冠２１を台座部１１の形状に沿って密着させることができ、プリザーブドフラワー２の花冠２１が揺動することなくしっかりと固定することが可能となる。また、台座部１１の周縁部の円孔１３に宝玉、他のプリザーブドフラワー、プリザーブドリーフ等の種々の装飾部材を挿入することができるので、装飾品としてのデザインの自由度を高めることができる。しかも孔が円形であることから、挿入する装飾部材にも傷がつきにくく、生花等の植物を装飾部材として挿入することも容易である。
【符号の説明】
【００３３】
１ 取付具
２  プリザーブドフラワー
１１  台座部
１２  雄ネジ
１３、１３’  円孔
２１  花冠
２２  花弁
２３  雌ねじ
【図１】
0003171183.tif 000003
【図２】
0003171183.tif 000004
【図３】
0003171183.tif 000005
【図４】
0003171183.tif 000006
【図５】
0003171183.tif 000007
【図６】
0003171183.tif 000008
【図７】
0003171183.tif 000009
【図８】
0003171183.tif 000010
【図９】
0003171183.tif 000011